(57)【要約】【課題】食器皿のラックへの収容作業性が向上し、また食器皿全体に付着した汚れを満遍なく落とすことができるようにする。【解決手段】載置台２と、該載置台２に対し一端のヒンジ部２ａ、２ｂを介して当該載置台２上へ倒れた位置から直角起立位置へ起伏回動自在とした可動台３と、起立した可動台３に食器皿Ｐを複数枚重ね合わせた状態のまま水平状態に積載可能とするよう伸縮リンク機構部１１を介して当該可動台３に対し互いに等ピッチ間隔で収縮方向にスライド可能とし、可動台３に積載した複数の食器皿相互の間隔を開けるよう伸縮リンク機構部１１を介して当該可動台３に対し互いに所定のピッチ間隔で伸張方向にスライド可能として成る複数のラック４とを備える。伸縮リンク機構部１１は、一対のジグザグ状伸縮体１２ａ、１２ｂ同士の各リンク部材を回動可能に枢着することで連続パンタグラフ状となって形成する。【選択図】図１
2007244404.tif 000002
【特許請求の範囲】
【請求項１】
載置台と、該載置台に対し一端のヒンジ部を介して当該載置台上へ倒した位置から直角起立位置へ起伏回動自在とした可動台と、起立した可動台に食器皿を複数枚重ね合わせた状態のまま水平状態に積載可能とするよう伸縮リンク機構部を介して当該可動台に対し互いに所定のピッチ間隔で収縮方向にスライド可能として成る複数のラックとを備えたことを特徴とする食器洗浄機用ラック装置。
【請求項２】
載置台と、該載置台に対し一端のヒンジ部を介して当該載置台上へ倒した位置から直角起立位置へ起伏回動自在とした可動台と、可動台に積載されている複数の食器皿相互の間隔を開けるよう伸縮リンク機構部を介して当該可動台に対し互いに所定のピッチ間隔で伸張方向にスライド可能として成る複数のラックとを備えたことを特徴とする食器洗浄機用ラック装置。
【請求項３】
伸縮リンク機構部は、リンク部材の端部同士を連繋して成る一対のジグザグ状伸縮体を形成し、一方のジグザグ状伸縮体のリンク部材中央と、他方のジグザグ状伸縮体のリンク部材中央とを回動可能に枢着することで連続パンタグラフ状となって形成されている請求項１または２記載の食器洗浄機用ラック装置。
【請求項４】
ラックは、前記伸縮リンク機構部によって互いに連繋され且つ可動台に対しスライド可能に支持された複数の下部スライダー枠と、該下部スライダー枠それぞれの上側で所定の間隔毎に突設され且つ少なくとも２つが可動台の上部ガイドバーにスライド可能に係合された食器皿載置用の上部ガイド枠とを備えて成る請求項１乃至３のいずれか記載の食器洗浄機用ラック装置。
【請求項５】
載置台と、該載置台に対し一端のヒンジ部を介して当該載置台上へ倒した位置から直角起立位置へ起伏回動自在とした可動台と、起立した可動台に食器皿を複数枚重ね合わせた状態のまま水平状態に積載可能とするよう伸縮リンク機構部を介して当該可動台に対し互いに所定のピッチ間隔で収縮方向にスライド可能とし、可動台に積載されている複数の食器皿相互の間隔を開けるよう伸縮リンク機構部を介して当該可動台に対し互いに所定のピッチ間隔で伸張方向にスライド可能として成る複数のラックとを備え、前記伸縮リンク機構部は、リンク部材の端部同士を連繋して成る一対のジグザグ状伸縮体を形成し、一方のジグザグ状伸縮体のリンク部材中央と、他方のジグザグ状伸縮体のリンク部材中央とを回動可能に枢着することで連続パンタグラフ状となって形成され、前記ラックは、前記伸縮リンク機構部によって互いに連繋され且つ可動台に対しスライド可能に支持された複数の下部スライダー枠と、該下部スライダー枠それぞれの上側で所定の間隔毎に突設され且つ少なくとも２つが可動台の上部ガイドバーにスライド可能に係合された食器皿載置用の上部ガイド枠とを備え、前記伸縮リンク機構部が収縮した位置では、食器皿を複数枚重ね合わせた状態のままで、起立した可動台のラック相互間に水平状態に積載可能とするよう当該ラック同士の間隔を食器皿の厚み相当分の大きさになるように配置させ、前記伸縮リンク機構部が伸張した位置では、ラック相互間に配された食器皿同士の間隔を拡げるよう当該ラック同士の間隔を食器皿の厚み相当分よりも大きくなるように配置させるものとしたことを特徴とする食器洗浄機用ラック装置。
【発明の詳細な説明】
【技術分野】
【０００１】
本発明は、例えば家庭用の食器洗浄機、または回転寿司店等の業務用の食器洗浄機等に使用され、特に同一の形状と大きさを有する食器皿を大量にセットしてから食器洗浄機に収容することでこれらを纏めて洗浄するために使用される食器洗浄機用ラック装置に関する。
【背景技術】
【０００２】
従来、食器皿を大量に洗浄する場合には、食器皿を一枚一枚立てた状態でラックに収納し、このラックを食器洗浄機に収容して洗浄する技術が数多く存在する。
【０００３】
このようなラックとしては、例えば特許文献１に開示されているように、被洗浄物保持部材間に偏平形状を有する被洗浄物の端部を挿入することにより当該被洗浄物を立設した状態で保持するためのラックを使用する技術がある。
【０００４】
また、特許文献２に開示されているように、食器皿を立てた状態で載せて食器洗浄機に収容するためのカゴ形状に形成されたラックを使用する技術がある。
【０００５】
さらに、特許文献３に開示されているように、洗浄対象物を複数列にわたって所定の角度で立て掛け保持可能とした立て掛け部と、該立て掛け部に立て掛けた洗浄対象物の横倒れを防止するよう当該立て掛け部の両側に配置された高さのある横倒れ防止部とを備えて成る第二ラックを、食器立て掛け部を一体に有する樹脂製の第一ラックに組み付けて成るラックを使用する技術がある。
【特許文献１】特開平１１−１９２１９７号公報
【特許文献２】特開平５−１８４５１１号公報
【特許文献３】特開２００２−２５３４７０号公報
【発明の開示】
【発明が解決しようとする課題】
【０００６】
しかしながら、従来においては、ラック内に食器皿を手作業でもって一枚ずつ立て掛け状に載せていかなければならず、作業性が非常に劣るものであった。しかも、ラックに対し立て掛け状に載せられた全ての食器皿同士の間隔は非常に狭く、しかもラックに載せた後ではこれらの間隔を自由自在に広げることができないため、食器洗浄機での洗浄水は食器皿同士の間に能率良く進入することができず、その結果食器皿全体に付着した汚れを満遍なく落とすことは不可能であった。
【０００７】
そこで、本発明は、叙上のような従来存した諸事情に鑑みなされたもので、汚れた食器皿を複数枚重ね合わせた状態のままラックに積載可能とすることで作業性を向上させることができると共に、複数の食器皿をラックに積載した後ではこれらの食器皿を立て掛け状に配置させると同時に食器皿同士の間隔を自由自在に広げることができることで、食器洗浄機での洗浄水を食器皿同士の間に能率良く進入させることができ、これによって全ての食器皿全体に付着した汚れを満遍なく落とすことができるようにした食器洗浄機用ラック装置を提供することを目的とする。
【課題を解決するための手段】
【０００８】
上述した課題を解決するため、本発明にあっては、載置台と、該載置台に対し一端のヒンジ部を介して当該載置台上へ倒した位置から直角起立位置へ起伏回動自在とした可動台と、起立した可動台に食器皿を複数枚重ね合わせた状態のまま水平状態に積載可能とするよう伸縮リンク機構部を介して当該可動台に対し互いに所定のピッチ間隔で収縮方向にスライド可能として成る複数のラックとを備えたことを特徴とする。
【０００９】
また、載置台と、該載置台に対し一端のヒンジ部を介して当該載置台上へ倒した位置から直角起立位置へ起伏回動自在とした可動台と、可動台に積載されている複数の食器皿相互の間隔を開けるよう伸縮リンク機構部を介して当該可動台に対し互いに所定のピッチ間隔で伸張方向にスライド可能として成る複数のラックとを備えたことを特徴とする。
【００１０】
前記構成において、伸縮リンク機構部は、リンク部材の端部同士を連繋して成る一対のジグザグ状伸縮体を形成し、一方のジグザグ状伸縮体のリンク部材中央と、他方のジグザグ状伸縮体のリンク部材中央とを回動可能に枢着することで連続パンタグラフ状となって形成されているものとすることができる。
【００１１】
また、前記構成において、ラックは、前記伸縮リンク機構部によって互いに連繋され且つ可動台に対しスライド可能に支持された複数の下部スライダー枠と、該下部スライダー枠それぞれの上側で所定の間隔毎に突設され且つ少なくとも２つが可動台の上部ガイドバーにスライド可能に係合された食器皿載置用の上部ガイド枠とを備えて成るものとすることができる。
【００１２】
さらに、載置台と、該載置台に対し一端のヒンジ部を介して当該載置台上へ倒した位置から直角起立位置へ起伏回動自在とした可動台と、起立した可動台に食器皿を複数枚重ね合わせた状態のまま水平状態に積載可能とするよう伸縮リンク機構部を介して当該可動台に対し互いに所定のピッチ間隔で収縮方向にスライド可能とし、可動台に積載されている複数の食器皿相互の間隔を開けるよう伸縮リンク機構部を介して当該可動台に対し互いに所定のピッチ間隔で伸張方向にスライド可能として成る複数のラックとを備え、前記伸縮リンク機構部は、リンク部材の端部同士を連繋して成る一対のジグザグ状伸縮体を形成し、一方のジグザグ状伸縮体のリンク部材中央と、他方のジグザグ状伸縮体のリンク部材中央とを回動可能に枢着することで連続パンタグラフ状となって形成され、前記ラックは、前記伸縮リンク機構部によって互いに連繋され且つ可動台に対しスライド可能に支持された複数の下部スライダー枠と、該下部スライダー枠それぞれの上側で所定の間隔毎に突設され且つ少なくとも２つが可動台の上部ガイドバーにスライド可能に係合された食器皿載置用の上部ガイド枠とを備え、前記伸縮リンク機構部が収縮した位置では、食器皿を複数枚重ね合わせた状態のままで、起立した可動台のラック相互間に水平状態に積載可能とするよう当該ラック同士の間隔を食器皿の厚み相当分の大きさになるように配置させ、前記伸縮リンク機構部が伸張した位置では、ラック相互間に配された食器皿同士の間隔を均等に拡げるよう当該ラック同士の間隔を食器皿の厚み相当分よりも大きくなるように配置させるものとしたことを特徴とする。
【発明の効果】
【００１３】
本発明によれば、汚れた食器皿を複数枚重ね合わせた状態のままラックに積載可能とすることで作業性を向上させることができると共に、複数の食器皿をラックに積載した後ではこれらの食器皿を立て掛け状に配置させると同時に食器皿同士の間隔を必要に応じて自在に広げることができることで、食器洗浄機での洗浄水を食器皿同士の間に能率良く進入させることができ、これによって全ての食器皿全体に付着した汚れを満遍なく落とすことができる。
【００１４】
すなわち本発明は、載置台と、該載置台に対し一端のヒンジ部を介して当該載置台上へ倒した位置から直角起立位置へ起伏回動自在とした可動台と、起立した可動台に食器皿を複数枚重ね合わせた状態のまま水平状態に積載可能とするよう伸縮リンク機構部を介して当該可動台に対し互いに所定のピッチ間隔で収縮方向にスライド可能として成る複数のラックとを備えたので、ヒンジ部により可動台を載置台に対して直角に起立させてから、伸縮リンク機構部によって収縮した状態のラックに、汚れた食器皿を複数枚重ね合わせた状態のまま容易に積載させることができ、しかも複数の食器皿をラックに積載した後には、ヒンジ部を介して可動台を載置台上へ水平に倒すことでこれらの食器皿を自動的に立て掛け状に配置させるものとなり、これによって食器皿のラックに対する収容作業性と同時に、ラック装置全体の食器洗浄機への収容作業性を向上させることができる。
【００１５】
また、載置台と、該載置台に対し一端のヒンジ部を介して当該載置台上へ倒した位置から直角起立位置へ起伏回動自在とした可動台と、可動台に積載されている複数の食器皿相互の間隔を開けるよう伸縮リンク機構部を介して当該可動台に対し互いに所定のピッチ間隔で伸張方向にスライド可能として成る複数のラックとを備えたので、食器皿同士の間隔を必要に応じて自在に広げることができるものとなり、食器洗浄機での洗浄水を食器皿同士の間に能率良く進入させることができ、これによって全ての食器皿全体に付着した汚れを満遍なく落とすことができる。
【００１６】
また、伸縮リンク機構部は、リンク部材の端部同士を連繋して成る一対のジグザグ状伸縮体を形成し、一方のジグザグ状伸縮体のリンク部材中央と、他方のジグザグ状伸縮体のリンク部材中央とを回動可能に枢着することで連続パンタグラフ状となって形成されているので、伸縮リンク機構部の収縮位置によって汚れた食器皿を複数枚重ね合わせた状態のままラックに積載可能とするのに加え、伸縮リンク機構部の伸張位置ではラック相互間に配されている食器皿同士の重なり方向の間隔が自在に拡大されることで、食器洗浄機での洗浄水を食器皿同士の間に能率良く進入させることができ、これによって全ての食器皿全体に付着した汚れを満遍なく落とすことができる。
【００１７】
そして、ラックは、前記伸縮リンク機構部によって互いに連繋され且つ可動台に対しスライド可能に支持された複数の下部スライダー枠と、該下部スライダー枠それぞれの上側で等間隔毎に突設され且つ少なくとも２つが可動台の上部ガイドバーにスライド可能に係合された食器皿載置用の上部ガイド枠とを備えて成るので、伸縮リンク機構部の伸縮動作に伴うラックのスライド移動に際し、可動台に対するラックのスライド移動がスムーズに行えるものとなる。
【００１８】
さらに具体的な構成として、載置台と、該載置台に対し一端のヒンジ部を介して当該載置台上へ倒した位置から直角起立位置へ起伏回動自在とした可動台と、起立した可動台に食器皿を複数枚重ね合わせた状態のまま水平状態に積載可能とするよう伸縮リンク機構部を介して当該可動台に対し互いに等ピッチ間隔で収縮方向にスライド可能とし、可動台に積載されている複数の食器皿相互の間隔を開けるよう伸縮リンク機構部を介して当該可動台に対し互いに所定のピッチ間隔で伸張方向にスライド可能として成る複数のラックとを備え、前記伸縮リンク機構部は、リンク部材の端部同士を連繋して成る一対のジグザグ状伸縮体を形成し、一方のジグザグ状伸縮体のリンク部材中央と、他方のジグザグ状伸縮体のリンク部材中央とを回動可能に枢着することで連続パンタグラフ状となって形成され、前記ラックは、前記伸縮リンク機構部によって互いに連繋され且つ可動台に対しスライド可能に支持された複数の下部スライダー枠と、該下部スライダー枠それぞれの上側で等間隔毎に突設され且つ少なくとも２つが可動台の上部ガイドバーにスライド可能に係合された食器皿載置用の上部ガイド枠とを備え、前記伸縮リンク機構部が収縮した位置では、食器皿を複数枚重ね合わせた状態のままで、起立した可動台のラック相互間に水平状態に積載可能とするよう当該ラック同士の間隔を食器皿の厚み相当分の大きさになるように配置させ、前記伸縮リンク機構部が伸張した位置では、ラック相互間に配された食器皿同士の間隔を均等に拡げるよう当該ラック同士の間隔を食器皿の厚み相当分よりも大きくなるように配置させるものとしたので、食器皿のラック収容作業性と同時に食器洗浄機への収容作業性を向上させることができ、また伸縮リンク機構部の伸張位置ではラック相互間に配されている食器皿同士の重なり方向の間隔が自由に拡大されることで、食器洗浄機での洗浄水を食器皿同士の間に能率良く進入させることができ、これによって全ての食器皿全体に付着した汚れを満遍なく落とすことができる。しかも伸縮リンク機構部の伸縮動作に伴うラックのスライド移動に際し、可動台に対するラックのスライド移動がスムーズに行える。
【発明を実施するための最良の形態】
【００１９】
以下、図面を参照して本発明を実施するための最良の一形態を説明する。
図において示される符号１は、同一の形状と大きさを有する特に偏平な食器皿Ｐを大量にセットしてから食器洗浄機に収容して洗浄するために使用される食器洗浄機用のラック装置本体である。
【００２０】
このラック装置本体１は、図１および図４に示すように、例えばロッド部材を略トレー状に枠組みして成る載置台２および可動台３を備え、該可動台３を載置台２上に倒した位置から直角方向に起立した位置へ自由に起伏回動自在となるようヒンジ部２ａ、２ｂによって連繋している。すなわち、支持プレートを可動台３一端に形成したコ字枠状のロッド部材に巻架してから載置台２側のロッド部材位置に固定ビスによって取り付けて成る等の一対のヒンジ部２ａ、２ｂを介して当該載置台２、可動台３それぞれが連繋されている。
【００２１】
可動台３には、後述する伸縮リンク機構部１１を介して当該可動台２に対し互いに等ピッチ間隔でスライド可能として成る複数のラック４を備えている。このラック４は、図１、図２および図３に示すように、可動台３に対しスライド可能となるよう両端のＬ字状部分が係合して支持された長尺帯板状の複数の下部スライダー枠５を備え、図１および図６に示すように、各下部スライダー枠５それぞれの上側には例えば４つの略コ字枠状の食器皿Ｐ載置用の上部ガイド枠６が食器皿Ｐの大きさに略対応した間隔を持って突設されている。
【００２２】
また、下部スライダー枠５それぞれの中央部分は、図２、図３に示すように、互いに伸縮リンク機構部１１を介して、可動台３の中央に架設させた一対のロッド部材によるガイドレール７にスライド可能となるように連繋され、さらに上部ガイド枠６の２つはその先端側を可動台３の上部に左右一対となって架設されたガイドバー８それぞれにスライド可能に係合させてある。尚、ラック４の引き出し側一端にはコ字枠状の取っ手９が形成されている。
【００２３】
次に、伸縮リンク機構部１１の具体的な構成について説明する。
伸縮リンク機構部１１は、図２および図３に示すように短尺帯板状のリンク部材の端部同士を互いに回動可能となるように連繋して成る一対のジグザグ状伸縮体１２ａ、１２ｂを形成しておき、一方のジグザグ状伸縮体１２ａにおける各リンク部材の中央と、他方のジグザグ状伸縮体１２ｂにおける各リンク部材の中央とをそれぞれ支軸部１３によって回動可能に枢着することで収縮・伸張方向にスライド可能となる連続パンタグラフ状となって形成されている。
【００２４】
そして、図６に示すように、これら各支軸部１３は下端が延長されることで、可動台３における中央のガイドレール７の一対のロッド部材間にスリーブ１４を介してスライド自在に装着されており、また各支軸部１３の上端は延長されることで、各下部スライダー枠５それぞれの中央部分にネジ１５止め固定させてある。
【００２５】
次に、以上のように構成された最良の形態についての使用、動作の一例について説明する。
図５（ａ）に示すように、可動台３に対しラック４の取っ手９を手で押し込んで伸縮リンク機構部１１が収縮した状態にすると、当該ラック４同士の間隔は食器皿Ｐの厚み相当分の大きさになるように配置される。
【００２６】
これにより図４に示すように、可動台３をヒンジ部２ａ、２ｂを介して載置台２から直角に起立させておくことで、可動台３のラック４相互間に、食器皿Ｐを複数枚重ね合わせた状態のまま押し込んで水平状態に積載できるものとなる。
【００２７】
一方、図５（ａ）に示すように、可動台３をヒンジ部２ａ、２ｂを介して載置台２側に９０度倒すことで、食器皿Ｐはラック４により自動的に立て掛け状に保持された状態で配置される。
【００２８】
このとき、図５（ｂ）に示すように、可動台３に対しラック４の取っ手９を手で引っ張って伸縮リンク機構部１１が伸張した状態にすると、ラック４同士の間隔は互いに食器皿Ｐの厚み相当分よりも大部大きくなるように配置され、当該ラック４相互間に配された食器皿Ｐ同士の間隔は略均等に拡げられるものとなる。
【００２９】
この状態においては、図６に示すように、食器皿Ｐの下側は下部スライダー枠５それぞれの間に見える可動台３を構成するそれぞれ一対のロッド部材１６によって掛架保持され、食器皿Ｐの左右両側は斜め状態となって、左右の上部ガイド枠６によって支持される。
【００３０】
尚、本実施の形態において、ラック装置本体１を不図示の食器洗浄機まで移送する手段は任意であり、自動または手動のいずれであっても良い。
【図面の簡単な説明】
【００３１】
【図１】本発明を実施するための最良の形態における可動台を載置台から直角に起立させた状態の平面図である。
【図２】同じく可動台を載置台から直角に起立させた状態の正面図である。
【図３】同じく可動台を載置台から直角に起立させた状態の背面図である。
【図４】同じく可動台を載置台から直角に起立させた状態の左側面図である。
【図５】同じく可動台に対するラックの伸縮スライド動作を説明するもので、（ａ）は可動台を載置台側に倒した状態の側面図、（ｂ）は可動台に対しラックを引っ張って伸縮リンク機構部を伸張させることでラック同士の間隔を拡げた状態の側面図である。
【図６】同じく図３におけるＡ−Ａ部分の拡大図である。
【符号の説明】
【００３２】
Ｐ              食器皿
１              ラック装置本体
２              載置台
２ａ、２ｂ      ヒンジ部
３              可動台
４              ラック
５              下部スライダー枠
６              上部ガイド枠
７              ガイドレール
８              ガイドバー
９              取っ手
１１            伸縮リンク機構部
１２ａ、１２ｂ  ジグザグ状伸縮体
１３            支軸部
１４            スリーブ
１５            ネジ
１６            ロッド部材
【図１】
2007244404.tif 000003
【図２】
2007244404.tif 000004
【図３】
2007244404.tif 000005
【図４】
2007244404.tif 000006
【図５】
2007244404.tif 000007
【図６】
2007244404.tif 000008